(57)【要約】      （修正有）【課題】紙パックを容易に装着・脱着のできる電気掃除機を提供する。【解決手段】電動送風機の駆動により吸い込まれた塵埃を捕集する紙パックが取り付けられ、この取り付けられた紙パックを保持する対をなす溝部を備える、紙パックホルダ本体と、所定の操作により動作して前記紙パックの保持と解除を行う保持部であるクランプを具備した。【選択図】図１
2020171514.tif 000002
【特許請求の範囲】
【請求項１】
電動送風機の駆動により吸い込まれた塵埃を捕集する紙パックが取り付けられ、この取り付けられた紙パックを保持する対をなす溝部を備える、紙パックホルダ本体と、
所定の操作により動作して前記紙パックの保持と解除を行う保持部であるクランプを具備したことを特徴とした電気掃除機。            
【請求項２】
前記溝部を形成し紙パックを保持する対をなす紙パックホルダ本体の横にロッドを有するユニット機構が、設けられ、ロッドの上下動の動作と連動して、紙パックを保持する紙パックホルダ本体が動作することを具備したことを特徴とした請求項１記載の電気掃除機。
【請求項３】
蓋体を開ける際に、蓋体の前部リブに付加された突起によって、前記クランプを前方向へ押し出動作を行い、蓋体の開動作と連動して、クランプに係止されている紙パックの係止を解除することによって、紙パックを保持する紙パックホルダが倒れてることを特徴とした請求項２に記載の電気掃除機。            
【請求項４】
電動送風機を収容する電動送風機室と、集塵室と、を有する本体ケースと、
該集塵室を覆うように前記本体ケースに開閉可能に設けられた蓋体と、
前記本体ケースに対し上下動可能となるよう前記集塵室に取り付けられるロッドと、
前記本体ケースに対し回動可能となるよう前記集塵室に取り付けられ、紙パックを保持可能な紙パックホルダと、を備え、
前記紙パックホルダは、前記ロッドの下移動により回動することを特徴とする電気掃除機。
【請求項５】
前記紙パックホルダとともに回動される前記紙パックを係止可能なクランプを有し、
前記蓋体は、前記クランプに係止可能であり、
前記蓋体と前記クランプとの係止の解除により、前記クランプと前記紙パックの係止も解除されることを特徴とする請求項４に記載の電気掃除機。
【発明の詳細な説明】
【技術分野】
【０００１】
本発明は、電気掃除機に関する。
【背景技術】
【０００２】
従来、電気掃除機に用いる紙パックは、開口を備えた口枠と、この口枠に一体的に設けられた袋体とを備え、電動送風機を収容した掃除機本体に区画された集塵室に着脱される。特許文献１に記載の電気掃除機には、紙パックを掃除機本体へ装着する際に、トーションばねによって後方に付勢されている保持枠に挿入し、口枠とともに保持枠の上側を前方へ押し込みクランプ部の爪部で係止することや、紙パックを取り外す際には、蓋体を開けたのちに口板の係止を外すようにクランプ部を操作することをが記載されている。
【先行技術文献】
【特許文献】
【０００３】
【特許文献１】特開2009-153875号公報
【発明の概要】
【発明が解決しようとする課題】
【０００４】
特許文献１に記載されている保持枠では、紙パックを掃除機本体へ装着する際に、トーションばねによって後方に付勢されている保持枠に挿入し、口枠とともに保持枠の上側を前方へ押し込むクランプという2段アクションとなっている。そのため、作業者が保持枠へ紙パックを挿入しただけで紙パックが取り付けられたと勘違いして、紙パックの装着不具合が発生し、掃除機本体の集塵室内を、電動送風機の駆動により、吸込んだゴミで満たしてしまう恐れがある。また、紙パックを取り外す際には、蓋体を開けたのちにクランプを操作する必要があり、こちらも2段アクションを必要とする。
【０００５】
本発明は、このような点に鑑みなされたもので、紙パックの装着不具合を抑制し、容易に取り付けることができる電気掃除機を提供することを目的とする。
【課題を解決するための手段】
【０００６】
本発明は、電動送風機の駆動により吸い込まれた塵埃を捕集する紙パックが取り付けられ、この取り付けられた紙パックを保持する対をなす溝部を備える、紙パックホルダ本体と、所定の操作により動作して前記紙パックの保持と解除を行う保持部であるクランプを具備したことを特徴とする。
【発明の効果】
【０００７】
本発明によれば、紙パックの装着不具合を抑制し、容易に取り付けることができる電気掃除機を提供することができる。
【図面の簡単な説明】
【０００８】
【図１】実施形態に係る電気掃除機の全体斜視図である。
【図２】実施形態に係る掃除機本体の斜視図である。
【図３】実施形態に係る掃除機本体の分解斜視図である。
【図４】実施形態に係る掃除機本体の断面図である。
【図５】(ａ)実施形態に係る掃除機本体の拡大断面図である。(ｂ)（ａ）の拡大図である。（ｃ）実施形態に係る掃除機本体の拡大断面図である。(ｂ)（ｃ）の拡大図である。
【図６】(ａ)実施形態に係る掃除機本体の拡大断面図である。(ｄ)（ａ）の拡大図である。（ｃ）実施形態に係る掃除機本体の拡大断面図である。(ｄ)（ｃ）の拡大図である。
【発明を実施するための形態】
【０００９】
以下、本発明の実施例を図を用いて説明する。図１は、実施形態に係る電気掃除機の全体斜視図である。図２は、実施形態に係る掃除機本体の斜視図である。図３は、実施形態に係る掃除機本体の分解斜視図である。図４は、実施形態に係る掃除機本体の断面図である。図５の(ａ)実施形態に係る掃除機本体の拡大断面図である。(ｂ)（ａ）の拡大図である。（ｃ）実施形態に係る掃除機本体の拡大断面図である。(ｂ)（ｃ）の拡大図である。図６の(ａ)実施形態に係る掃除機本体の拡大断面図である。(ｄ)（ａ）の拡大図である。（ｃ）実施形態に係る掃除機本体の拡大断面図である。(ｄ)（ｃ）の拡大図である。
【００１０】
図1に示すように、掃除機本体101には、吸口102が延長管103、ホース104を介して連通するように接続されている。このため、吸口102から吸引された塵埃は延長管103、ホース104を通り掃除機本体101に集塵される。
【００１１】
図2は掃除機本体であり、この掃除機本体は、いわゆるキャニスタ型の電気掃除機である。この掃除機本体は、本体ケース201と、この本体ケース201の上部に開閉可能に設けられた蓋体202とを有している。
【００１２】
そして、図3において本体ケース201は、前後方向に長手状に形成された下ケース301と、この下ケース301の上側に取り付けられた上ケース302とを備える。
【００１３】
図4において、本体ケース２０１は、電動送風機401を収容する電動送風機室402が後部に形成され、主集塵部としての集塵室403が前部に形成され、これら電動送風機室402と集塵室403との間に、隔壁部404が配設されている。
【００１４】
下ケース301の後側の両側部には、それぞれ大径の従動輪303(一方のみ図示)が回転自在に軸支されている。また、下ケース301の集塵室403の下方の下面には、旋回輪405が旋回自在に軸支されている。この結果、掃除機本体は、従動輪303と旋回輪405とにより、被掃除面としての床面上を走行可能となっている。
【００１５】
電動送風機室402には、電動送風機401が、吸込側を前側、排気側を後側として、前後方向に配設されている。また、この電動送風機室402の電動送風機401の上方には、電動送風機401などの駆動を制御する制御手段407が収容されている。さらに、この電動送風機室402には、複数の排気孔406が穿設されている。
【００１６】
集塵室403には紙パックである使い捨ての紙パック407を取り付けることができる。集塵室４０３は、紙パック407を着脱可能に保持して集塵室403に装着するための紙パックホルダとしての紙パックホルダ501と、クランプ502と、紙パック４０７が膨らむための空間を有している。また、紙パックホルダ501の上部が後方に傾斜した状態から、紙パックホルダ５０１の上部が略垂直となる状態となるよう起こす動作をするためのロッド503を有している。
【００１７】
ここで、紙パック４０７は、口枠部４０８と、袋部と、を有している。  紙パック407の口枠部408は、例えばボール紙などの厚紙により板状に形成されている。
【００１８】
紙パック４０７の袋部は、通気性素材である濾材を例えば複数積層して袋状に形成したもので、未使用状態で折り畳まれ、使用状態で集塵室403内にて拡がるように構成されている。
【００１９】
紙パックホルダ５０１は、溝部５０１ａと、突起部５０１ｂを有している。溝部５０１ｂは、紙パック４０７の口枠部４０８が挿入されることで紙パック４０７を保持することができる構造である。溝部５０１ｂは、掃除機本体の左右方向に一対となるように設けられているが、この限りでなく、左右いずれかで口枠部４０８を保持することができる構造であればよい。突起部５０１ｂは、後方に向かって凸となるような略三角形状の部分であり、溝部５０１ａよりも前方に位置している。後述するが、突起部５０１ｂは、ロッド５０３の傾斜部５０５と接することで紙パックホルダ５０１を本体ケース２０２に対して起こすよう回動するための部分である。突起部５０１ｂは、紙パックホルダ５０１を本体ケース２０２に対して回動することができれば、形状や位置を上記に限定するものではない。
【００２０】
ロッド５０３は、棒状の部品であり、蓋体２０２と接触することができる接触部５０３ａと、紙パックホルダ５０１の突起部５０１ｂに接触することができる傾斜部５０３ｂと、を有する。ロッド５０３は、本体ケース２０２に対して上下に移動可能となるよう取り付けられる。
【００２１】
クランプ５０２は、紙パック４０７の口枠部408の集塵室４０３への係止の為に有するものである。クランプ502には、蓋体202の前方に備えた突起601と相互に干渉し合う突起５０２ａを有する。
【００２２】
集塵室403の上には集塵室内の気密をとるための蓋体202を有する。
【００２３】
以下、紙パック４０７を着脱するときの動きについて説明する。
【００２４】
紙パック４０７の口枠部408を紙パックホルダ501の溝部５０１ａに挿入した後、蓋体202を閉めることによって、蓋体202とロッド５０３の接触部５０３ａが接触し、ロッド503が下方向に押し下げられる。ロッド503が押し下げられることによって、ロッド５０３の傾斜部5０３ｂが徐々に紙パックホルダ501に付属している突起部５０１ｂを前方へと押し出す。突起部５０１ｂが前方へ押し出されることによって、紙パックホルダ501を、紙パックホルダ501の下部に付属するばね504部を支点として起こすよう回動する動作が行われる。起こす動作とは、紙パックホルダ501の上部が後方に傾斜した状態から、紙パックホルダ５０１の上部が略垂直となる状態となるように回動する動作を指す。紙パックホルダ501を起こして、クランプ502に係止する動作をさせるためのロッド503を押し下げる一連の動作が形成される。
【００２５】
集塵室403内の紙パック407を交換するために、紙パック407を取り出す際は、蓋体202を開けることによって、蓋体202前面部に備えた突起601で、クランプ502に付属している突起602を前方に押すことによって、クランプ502によりる紙パック口枠部408の係止を解除する動作が形成される。
【００２６】
前記動作と同時に、蓋体202によって押し込まれていたロッド503が、付属するばね505の作用によって上方へと戻る動作が形成されることによって、係止を解除された紙パック口枠部408は、紙パックホルダ501下部に付属するばね504の戻る作用で集塵室内で紙パックホルダ501が倒れる動作が形成され、紙パック407が取り出し易くなる。
【００２７】
電動送風機４０１の駆動により吸い込まれた塵埃を捕集する紙パック４０７が取り付けられ、この取り付けられた紙パック４０７を保持するための対をなす溝部を備えた紙パックホルダ５０１を有する掃除機本体に、対をなす紙パックホルダ５０１の横に備えたロッド５０３によって、ロッド５０３が押し込まれる動作に連動して紙パック４０７を挿入した紙パックホルダ５０１が起き上がり、ロッド５０３が完全に押し込まれたときに、紙パック４０７の口枠部４０８がクランプ５０２に嵌まり込み係止される。また、蓋体２０２を開けた際に、蓋体２０２の前部に備えた突起６０１によって、クランプ５０２を前方へ押し出して、クランプ５０２により係止されていた紙パック４０７の口枠部４０８を、クランプ５０２より離脱させる動作をし、紙パック４０７の掃除機本体の内部での装着が可能となる機構を具備したものである。
【００２８】
電動送風機４０１の駆動により吸い込まれた塵埃を捕集する紙パック４０７が取り付けられ、この取り付けられた紙パック４０７を保持する対をなす溝部を備える、紙パックホルダ５０１と、所定の操作により動作して紙パック４０７の保持と解除を行う保持部であるクランプ５０２を具備する。
【００２９】
溝部を形成し紙パック４０７を保持する対をなす紙パックホルダ５０１の横にロッド５０３を有するユニット機構が、設けられ、ロッド５０３の上下動の動作と連動して、紙パック４０７を保持する紙パックホルダ５０１が動作することを具備する。
【００３０】
蓋体２０２を開ける際に、蓋体２０２のリブに付加された突起６０１によって、クランプ５０２を前方向へ押し出動作を行い、蓋体２０２の開動作と連動して、クランプ５０２に係止されている紙パック４０７の係止を解除することによって、紙パック４０７を保持する紙パックホルダ５０１が倒れてる。
【００３１】
電動送風機４０１を収容する電動送風機室４０２と、集塵室４０３と、を有する本体ケース２０１と、集塵室４０３を覆うように本体ケース２０１に開閉可能に設けられた蓋体２０２と、本体ケース２０１に対し上下動可能となるよう集塵室４０３に取り付けられるロッド５０３と、本体ケース２０１に対し回動可能となるよう集塵室４０３に取り付けられ、紙パック４０７を保持可能な紙パックホルダ５０１と、を備え、紙パックホルダ５０１は、ロッド５０３の下移動により回動する。
【００３２】
前記紙パックホルダとともに回動される前記紙パックを係止可能なクランプを有し、前記蓋体は、前記クランプに係止可能であり、前記蓋体と前記クランプとの係止の解除により、前記クランプと前記紙パックの係止も解除されることを特徴とする電気掃除機。
【００３３】
上述した構成により、紙パック口枠を紙パックホルダ溝部に挿入した後は、紙パックホルダ横に備えたロッドが、蓋体を閉める際に、蓋体でロッドを押し下げ、その動作に連動して、紙パックホルダが起こされる。蓋体が完全に閉まった時には、紙パック口枠がクランプに係止される。また、蓋体を開ける際には、蓋体前部に備えられた突起によって、クランプが押されて、紙パック口枠がクランプより外れ、紙パックホルダ紙パックを装着したまま、が集塵室へと倒れることによって、紙パックが集塵室より取り出しやすくなる。
【符号の説明】
【００３４】
101  掃除機本体
201  本体ケース
202  蓋体
402  電動送風機室
403  集塵室
407  紙パック
501  紙パックホルダ
501a 溝部
501b 突起部
502  クランプ
503  ロッド
【図１】
2020171514.tif 000003
【図２】
2020171514.tif 000004
【図３】
2020171514.tif 000005
【図４】
2020171514.tif 000006
【図５】
2020171514.tif 000007
【図６】
2020171514.tif 000008